(57)【特許請求の範囲】
【請求項１】
地盤の掘削溝に、妻部に仕切板を設けた鉄筋籠を挿入してコンクリートを打設し、地中連続壁の先行エレメントを構築する工程と、
前記先行エレメントの側方の掘削溝にコンクリートを打設して地中連続壁の後行エレメントを構築する工程により、
下端が地盤の不透水層を越える深さに達するように地中連続壁を構築し、
前記地中連続壁を構築する際、
前記不透水層に対応する深さにおいて、前記先行エレメントと前記後行エレメントの接続部近傍に位置する前記先行エレメントの隅部を、前記先行エレメントの鉄筋籠の隅部近傍に予め設けられた閉塞用治具を利用して埋めることを特徴とする地中連続壁の構築方法。
【請求項２】
前記地中連続壁は、地下構造物を囲う位置に筒状に設けられ、
前記先行エレメントの前記地下構造物側の隅部のみが前記閉塞用治具を用いて埋められることを特徴とする請求項１記載の地中連続壁の構築方法。
【請求項３】
前記閉塞用治具は、前記先行エレメントの隅部に注入材を注入するための注入孔を有する注入管であり、
前記注入管から当該隅部に注入材を注入して当該隅部を埋めることを特徴とする請求項１または請求項２に記載の地中連続壁の構築方法。
【請求項４】
スリットを有するカバーが前記注入孔を覆うように設けられることを特徴とする請求項３記載の地中連続壁の構築方法。
【請求項５】
前記先行エレメントの隅部に注入材を注入する際、
孔を有し、且つ前記孔の上下に袋体を設けた内管を前記注入管に挿入し、
上下の前記袋体を膨張させて前記注入管の内壁に密着させ、
前記内管の孔から送出した注入材を前記注入孔から前記先行エレメントの隅部に注入することを特徴とする請求項３または請求項４記載の地中連続壁の構築方法。
【請求項６】
前記閉塞用治具は袋体であり、
前記袋体に充填材を充填して前記先行エレメントの隅部を埋めることを特徴とする請求項１または請求項２に記載の地中連続壁の構築方法。
【請求項７】
前記鉄筋籠の隅部近傍において、前記仕切板に、前記鉄筋籠の長さ方向のシートおよび前記シートの外側の押え板が取付けられ、
前記袋体は、前記押え板の外側に設けられることを特徴とする請求項６記載の地中連続壁の構築方法。
【請求項８】
前記閉塞用治具は、前記鉄筋籠の隅部近傍に設けられた可動部であり、
前記先行エレメントのコンクリートの打設時に、前記可動部が前記掘削溝の内壁に略当接し、前記可動部の内側の当該コンクリートによって前記先行エレメントの隅部が埋められることを特徴とする請求項１または請求項２記載の地中連続壁の構築方法。
【請求項９】
前記可動部は、前記仕切板に取付けられた、前記鉄筋籠の幅方向にスライド可能なスライド部材であり、
前記スライド部材に前記鉄筋籠の長さ方向のシートが取付けられることを特徴とする請求項８記載の地中連続壁の構築方法。
【請求項１０】
前記可動部は、前記仕切板に取付けられた、前記掘削溝の内壁に向かって回転可能な回転部材であり、
前記回転部材に前記鉄筋籠の長さ方向のシートが取付けられることを特徴とする請求項８記載の地中連続壁の構築方法。
【請求項１１】
地盤の掘削溝に構築された隣接する複数のエレメントを有する地中連続壁であって、
前記地中連続壁の下端は地盤の不透水層を越える深さに達し、
一方の前記エレメントは、地盤の掘削溝に充填されたコンクリートに、妻部に仕切板を設けた鉄筋籠が埋設されて構成され、
他方の前記エレメントは、前記一方のエレメントの側方の掘削溝にコンクリートが充填されて構築され、
前記不透水層に対応する深さにおいて、両エレメントの接続部近傍に位置する前記一方のエレメントの隅部が埋められており、
前記一方のエレメントの鉄筋籠の隅部近傍に、前記一方のエレメントの隅部を埋めるための閉塞用治具が設けられたことを特徴とする地中連続壁。
【請求項１２】
前記地中連続壁は、地下構造物を囲う位置に筒状に設けられ、
前記一方のエレメントの前記地下構造物側の隅部のみが埋められたことを特徴とする請求項１１記載の地中連続壁。
【請求項１３】
前記閉塞用治具は、前記一方のエレメントの隅部に注入材を注入するための注入孔を有する注入管であり、
当該隅部が注入材により埋められたことを特徴とする請求項１１または請求項１２に記載の地中連続壁。
【請求項１４】
スリットを有するカバーが前記注入孔を覆うように設けられたことを特徴とする請求項１３記載の地中連続壁。
【請求項１５】
前記閉塞用治具は袋体であり、
前記一方のエレメントの隅部が、充填材が充填された前記袋体により埋められたことを特徴とする請求項１１または請求項１２に記載の地中連続壁。
【請求項１６】
前記鉄筋籠の隅部近傍において、前記仕切板に、前記鉄筋籠の長さ方向のシートおよび前記シートの外側の押え板が取付けられ、
前記袋体は、前記押え板の外側に設けられたことを特徴とする請求項１５に記載の地中連続壁。
【請求項１７】
前記鉄筋籠の隅部近傍に設けられた前記閉塞用治具である可動部が前記掘削溝の内壁に略当接し、
前記可動部の内側の前記一方のエレメントのコンクリートによって前記一方のエレメントの隅部が埋められたことを特徴とする請求項１１または請求項１２記載の地中連続壁。
【請求項１８】
前記可動部は、前記仕切板に取付けられた、前記鉄筋籠の幅方向にスライド可能なスライド部材であり、
前記スライド部材に前記鉄筋籠の長さ方向のシートが取付けられたことを特徴とする請求項１７記載の地中連続壁。
【請求項１９】
前記可動部は、前記仕切板に取付けられた、前記掘削溝の内壁に向かって回転可能な回転部材であり、
前記回転部材に前記鉄筋籠の長さ方向のシートが取付けられたことを特徴とする請求項１７記載の地中連続壁。
【発明の詳細な説明】
【技術分野】
【０００１】
本発明は、地中連続壁の構築方法、地中連続壁に関する。
【背景技術】
【０００２】
LNG（液化天然ガス）、LPG（液化石油ガス）などの低温液化ガスを貯留する設備として地下タンクがある。図１２に地下タンク１０の概略を示す。地下タンク１０は、鉄筋コンクリート製の略円筒状の地中連続壁３０を山留兼遮水壁として内部の地盤を掘削し、躯体の構築を行った地下構造物である。
【０００３】
地下タンク１０の躯体は、鉄筋コンクリート製の底版１１と側壁１２、および鋼製屋根１３から構成されることが一般的である。側壁１２は底版１１上に略円筒状に形成され、底版１１や側壁１２の内面には断熱材やメンブレン（不図示）なども設置される。
【０００４】
地中連続壁３０の内部の掘削や躯体構築をドライな状態で行うため、地中連続壁３０の下端は不透水層２１を越える深さ（鉛直方向の位置をいう。）まで達するように計画されるのが一般的である。地下タンク１０は40〜50mの地下深くまで構築されることから、地中連続壁３０は大きな土圧、水圧に耐えることが求められ、その規模は大きなものとなる。
【０００５】
地中連続壁３０の構築時は、まず地中連続壁３０の周方向に所定の間隔を空けて地盤に掘削溝を形成し、当該掘削溝に地中連続壁３０の先行エレメントを構築する。その後、先行エレメントと先行エレメントの間に掘削溝を形成して当該掘削溝に地中連続壁３０の後行エレメントを構築する（例えば、特許文献１、２等）。
【０００６】
地中連続壁３０の構築方法を示すのが図１３である。この例では、先行エレメントを構築する際、まず連壁掘削機等によって地盤を短冊形に掘削して図１３（ａ）に示すように掘削溝２０を形成した後、当該掘削溝２０に鉄筋籠１００を挿入する。
【０００７】
図１４は鉄筋籠１００を示す図である。鉄筋籠１００は鉛直方向および水平方向の鉄筋１０１、１０２を有するほか、隣接する先行エレメントと後行エレメントの接続部構造の一つとして、鉄筋籠１００の両妻部に接合鋼板継手が設けられる。
【０００８】
なお、以降、鉄筋籠について「幅」というときは、地中連続壁３０の径方向の長さを指すものとし、図１４では鉄筋籠１００の平面の短辺方向（図の上下方向）の長さに対応する。同様に、鉄筋籠について「長さ」というときは、地中連続壁３０の周方向の長さを指すものとし、図１４では鉄筋籠１００の平面の長辺方向（図の左右方向）の長さに対応する。これは掘削溝について幅、長さというときも同様とする。鉄筋籠の妻部は、鉄筋籠の長さ方向の端部に対応する。また、鉄筋籠について外側とは鉄筋籠の平面中心から遠い方をいうものとし、その逆は内側というものとする。
【０００９】
前記の接合鋼板継手は、鉄筋籠１００の妻部に仕切板である鋼板１１１を設け、鉄筋籠１００の平面の隅部近傍において鋼板１１１に土木シート１１２および押え板１１３を取付けて構成される。鉄筋籠１００は、掘削溝２０に挿入できるように掘削溝２０の幅および長さより若干小さい幅および長さとなっている。土木シート１１２は、両端部を鉄筋籠１００の両妻部の鋼板１１１にそれぞれ取付けて、鉄筋籠１００の長さ方向に配置される。押え板１１３は例えば鉄板や硬質ゴムシートなどであり、土木シート１１２の外側において鉄筋籠１００の長さ方向に配置される。その他、鉄筋籠１００では、両妻部の鋼板１１１を結ぶタイロッド１０３なども設けられる。
【００１０】
掘削溝２０に鉄筋籠１００を挿入した後、当該掘削溝２０にコンクリートを打設して充填することで、図１３（ｂ）に示すように先行エレメント３０１が構築される。コンクリート３１は鉄筋籠１００の幅方向の両側の土木シート１１２の間に打設され、接合鋼板継手の鋼板１１１、土木シート１１２、押え板１１３によって後行エレメント側にコンクリート３１が流出するのが防止される。
【００１１】
コンクリート３１の打設圧により土木シート１１２は外側に膨らみ、押え板１１３はこれに応じて変形するが、最終的には押え板１１３の端部が掘削溝２０の内壁に接触し、土木シート１１２が後行エレメント側に張り出して破損するのを防止する。タイロッド１０３は、鋼板１１１がコンクリート３１の打設圧によって破損するのを防止する。
【００１２】
先行エレメント３０１のコンクリート３１を打設した後、図１３（ｃ）に示すようにその側方の地盤を前記と同様に掘削して掘削溝２０を形成し、図１３（ｄ）に示すように当該掘削溝２０に鉄筋籠２００を挿入してその周囲にコンクリート３１を打設すると、後行エレメント３０２が構築される。
【先行技術文献】
【特許文献】
【００１３】
【特許文献１】特開昭63-35915号公報
【特許文献２】特開2002-13135号公報
【発明の概要】
【発明が解決しようとする課題】
【００１４】
図１３（ｂ）等では説明の都合上、掘削溝２０の内壁と鋼板１１１の側端部の間隔を広めに記載しているが、実際には当該側端部は掘削溝２０の内壁近くまで達している。そのため、図１３（ｄ）に示すように後行エレメント３０２のコンクリート３１を打設した際に、このコンクリート３１が押え板１１３の外側まで回り込まず、先行エレメント３０１と後行エレメント３０２の接続部近傍の先行エレメント３０１の隅部に略三角形状の隙間２２が残ることが多い。この隙間２２は、図１２に示すように地中連続壁３０の全深度に亘って形成される。
【００１５】
このように先行エレメント３０１の隅部が隙間２２として残っていると、地中連続壁３０の下端が不透水層２１を越える深さに達していても、当該隙間２２が鉛直方向の水道となって漏水が起こり、地中連続壁３０の内部の掘削や躯体構築の支障となることがある。
【００１６】
本発明は上記の問題に鑑みてなされたものであり、地下構造物の構築時の地盤掘削や躯体構築が容易に行えるようになる地中連続壁の構築方法等を提供することを目的とする。
【課題を解決するための手段】
【００１７】
前述した課題を解決するための第１の発明は、地盤の掘削溝に、妻部に仕切板を設けた鉄筋籠を挿入してコンクリートを打設し、地中連続壁の先行エレメントを構築する工程と、前記先行エレメントの側方の掘削溝にコンクリートを打設して地中連続壁の後行エレメントを構築する工程により、下端が地盤の不透水層を越える深さに達するように地中連続壁を構築し、前記地中連続壁を構築する際、前記不透水層に対応する深さにおいて、前記先行エレメントと前記後行エレメントの接続部近傍に位置する前記先行エレメントの隅部を、前記先行エレメントの鉄筋籠の隅部近傍に予め設けられた閉塞用治具を利用して埋めることを特徴とする地中連続壁の構築方法である。
【００１８】
本発明により、地中連続壁の不透水層に対応する深さにおいて先行エレメントの隅部を埋めて閉塞部とし、前記の隙間を水道とした漏水が起こるのを防止することができ、地下構造物の構築時の地盤掘削や躯体構築が容易にできるようになる。この際、予め鉄筋籠の隅部近傍に設けた閉塞用治具を利用することで、手間を掛けることなく確実に隅部を埋めることができる。
【００１９】
前記地中連続壁は、地下構造物を囲う位置に筒状に設けられ、前記先行エレメントの前記地下構造物側の隅部のみが前記閉塞用治具を用いて埋められる。
本発明では、先行エレメントの地下構造物側の隅部を埋めるだけでもよく、地盤側の隅部は埋めなくてもよいので作業が簡略化される。
【００２０】
前記閉塞用治具は、前記先行エレメントの隅部に注入材を注入するための注入孔を有する注入管であり、前記注入管から当該隅部に注入材を注入して当該隅部を埋めることが望ましい。また、スリットを有するカバーが前記注入孔を覆うように設けられることが望ましい。
このように、鉄筋籠に予め取付けた注入管を用いて注入材を注入することで先行エレメントの隅部を容易に埋めることができ、後からボーリングを行って前記の隙間に注入管を挿入する空間を確保するなどの手間も掛からない。また注入孔の周囲にスリット付きのカバーを設けておくことで、土砂等の注入管内部への流入、注入材の逆流などを防ぎつつ、注入材の注入を行うことができる。
【００２１】
前記先行エレメントの隅部に注入材を注入する際、孔を有し、且つ前記孔の上下に袋体を設けた内管を前記注入管に挿入し、上下の前記袋体を膨張させて前記注入管の内壁に密着させ、前記内管の孔から送出した注入材を前記注入孔から前記先行エレメントの隅部に注入することが望ましい。
このように、内管を注入管内に挿入し、内管の孔の上下の袋体を膨張させて注入管の内壁に密着させた状態で内管から注入材を注入することで、注入材が上下に逃げることが無く、高圧で確実な注入を行うことができる。
【００２２】
前記閉塞用治具は袋体であり、前記袋体に充填材を充填して前記先行エレメントの隅部を埋めることが望ましい。
このように袋体に充填材を充填することでも、先行エレメントの隅部を容易に埋めることができる。
【００２３】
前記鉄筋籠の隅部近傍において、前記仕切板に、前記鉄筋籠の長さ方向のシートおよび前記シートの外側の押え板が取付けられ、前記袋体は、前記押え板の外側に設けられることも望ましい。
これにより、先行エレメントのコンクリート打設時に生じた押え板の外側の略三角形状の隙間を、袋体に充填を行って埋めることができる。
【００２４】
また、前記閉塞用治具は、前記鉄筋籠の隅部近傍に設けられた可動部であり、前記先行エレメントのコンクリートの打設時に、前記可動部が前記掘削溝の内壁に略当接し、前記可動部の内側の当該コンクリートによって前記先行エレメントの隅部が埋められることも望ましい。
このように、先行エレメントのコンクリート打設時に可動部が移動して掘削溝の内壁に略当接することで、当該可動部の内側の先行エレメントの隅部をコンクリートによって埋めることもできる。
【００２５】
例えば、前記可動部は、前記仕切板に取付けられた、前記鉄筋籠の幅方向にスライド可能なスライド部材であり、前記スライド部材に前記鉄筋籠の長さ方向のシートが取付けられる。
あるいは、前記可動部は、前記仕切板に取付けられた、前記掘削溝の内壁に向かって回転可能な回転部材であり、前記回転部材に前記鉄筋籠の長さ方向のシートが取付けられる。
このように、可動部としては、先行エレメントのコンクリート打設に伴って土木シートなどとともに移動するスライド部材や回転部材を用いることができ、これにより先行エレメントの隅部を好適に埋めることができる。
【００２６】
第２の発明は、地盤の掘削溝に構築された隣接する複数のエレメントを有する地中連続壁であって、前記地中連続壁の下端は地盤の不透水層を越える深さに達し、一方の前記エレメントは、地盤の掘削溝に充填されたコンクリートに、妻部に仕切板を設けた鉄筋籠が埋設されて構成され、他方の前記エレメントは、前記一方のエレメントの側方の掘削溝にコンクリートが充填されて構築され、前記不透水層に対応する深さにおいて、両エレメントの接続部近傍に位置する前記一方のエレメントの隅部が埋められており、前記一方のエレメントの鉄筋籠の隅部近傍に、前記一方のエレメントの隅部を埋めるための閉塞用治具が設けられたことを特徴とする地中連続壁である。
前記地中連続壁は、地下構造物を囲う位置に筒状に設けられ、前記一方のエレメントの前記地下構造物側の隅部のみが埋められる。
【００２７】
前記閉塞用治具は、前記一方のエレメントの隅部に注入材を注入するための注入孔を有する注入管であり、当該隅部が注入材により埋められることが望ましい。また、スリットを有するカバーが前記注入孔を覆うように設けられることも望ましい。
【００２８】
あるいは、前記閉塞用治具は袋体であり、前記一方のエレメントの隅部が、充填材が充填された前記袋体により埋められてもよい。例えば前記鉄筋籠の隅部近傍において、前記仕切板に、前記鉄筋籠の長さ方向のシートおよび前記シートの外側の押え板が取付けられ、前記袋体は、前記押え板の外側に設けられる。
【００２９】
さらには、前記鉄筋籠の隅部近傍に設けられた前記閉塞用治具である可動部が前記掘削溝の内壁に略当接し、前記可動部の内側の前記一方のエレメントのコンクリートによって前記一方のエレメントの隅部が埋められてもよい。
【００３０】
例えば前記可動部は、前記仕切板に取付けられた、前記鉄筋籠の幅方向にスライド可能なスライド部材であり、前記スライド部材に前記鉄筋籠の長さ方向のシートが取付けられる。
あるいは、前記可動部は、前記仕切板に取付けられた、前記掘削溝の内壁に向かって回転可能な回転部材であり、前記回転部材に前記鉄筋籠の長さ方向のシートが取付けられる。
【発明の効果】
【００３１】
本発明により、地下構造物の構築時の地盤掘削や躯体構築が容易に行えるようになる地中連続壁の構築方法等を提供することができる。
【図面の簡単な説明】
【００３２】
【図１】地中連続壁３０ａを模式的に示す図
【図２】鉄筋籠１００ａ、注入管１２０等を示す図
【図３】地中連続壁３０ａの構築方法を説明する図
【図４】鉄筋籠１００ｂを示す図
【図５】地中連続壁３０ａの構築方法を説明する図
【図６】鉄筋籠１００ｃを示す図
【図７】地中連続壁３０ａの構築方法を説明する図
【図８】鉄筋籠１００ｄを示す図
【図９】地中連続壁３０ａの構築方法を説明する図
【図１０】鉄筋籠１００ｅを示す図
【図１１】地中連続壁３０ａの構築方法を説明する図
【図１２】地下タンク１０および地中連続壁３０を示す図
【図１３】地中連続壁３０の構築方法を説明する図
【図１４】鉄筋籠１００を示す図
【発明を実施するための形態】
【００３３】
以下、図面に基づいて本発明の好適な実施形態について詳細に説明する。
【００３４】
［第１の実施形態］
（１．地中連続壁３０ａ）
図１は、本発明の実施形態に係る地中連続壁３０ａを模式的に示す図である。地中連続壁３０ａは、図１２の地中連続壁３０と同様、鉄筋コンクリート等によって地下タンク１０（地下構造物）を囲う位置に構築された略円筒状の壁体であり、下端が粘土層やシルト層などの不透水層２１を越える深さに達している。図１２で既に説明したその他の構成については、図等で同じ符号を付して説明を省略する。
【００３５】
前記と同様、地中連続壁３０ａは地盤の掘削溝に構築された先行エレメント（一方のエレメント）および後行エレメント（他方のエレメント）から構成される。地中連続壁３０ａの構築時は、地中連続壁３０ａの周方向に所定の間隔を空けて地盤に短冊形の掘削溝を形成し、当該掘削溝に地中連続壁３０ａの先行エレメントを構築する。その後、先行エレメントと先行エレメントの間に掘削溝を形成して当該掘削溝に地中連続壁３０ａの後行エレメントを構築する。先行エレメントは掘削溝に鉄筋籠を挿入してコンクリートを打設することで構築され、後行エレメントは先行エレメントの側方の掘削溝に挿入された鉄筋籠の周囲にコンクリートを打設して構築される。この手順については後程説明する。
【００３６】
本実施形態では、少なくとも不透水層２１に対応する深さにおいて、隣接する先行エレメントと後行エレメントの接続部近傍に位置する先行エレメントの隅部の隙間２２を埋めて閉塞部２３とし、隙間２２が鉛直方向の水道となるのを防止しており、この点で前記の地中連続壁３０と異なる。
【００３７】
図１の例では、閉塞部２３が、地下タンク１０の躯体底面付近から地中連続壁３０ａの下端までの不透水層２１を含む深さの範囲に形成される。ただし、閉塞部２３は少なくとも不透水層２１に対応する深さで形成されていればよく、その範囲は様々に定めることができる。これは後述する実施形態においても同様である。
【００３８】
（２．鉄筋籠１００ａ）
地中連続壁３０ａの構築方法は前記の図１３で説明したものと基本的には同様であるが、本実施形態では、先行エレメントの構築に用いる鉄筋籠に、前記した先行エレメントの隅部の隙間２２を埋めて閉塞部２３とするための閉塞用治具を予め設けておく。
【００３９】
この鉄筋籠を示すのが図２（ａ）である。図２（ａ）の鉄筋籠１００ａは、前記の図１４で説明した鉄筋籠１００と略同様であり、両妻部に鋼板１１１（仕切板）が設けられ、また鉄筋籠１００ａの平面の隅部近傍において、鉄筋籠１００ａの長さ方向のシートである土木シート１１２および土木シート１１２の外側の押え板１１３が鋼板１１１に取付けられる。図１４で既に説明したその他の構成については、図等で同じ符号を付して説明を省略する。
【００４０】
本実施形態では、鉄筋籠１００ａの平面の隅部近傍において、上記の閉塞用治具として注入管１２０を両妻部の鋼板１１１に設けており、この点で図１４の鉄筋籠１００と異なっている。注入管１２０は、鉄筋籠１００ａのほぼ全深度に亘って設けられる有底筒状の管体である。
【００４１】
図２（ｂ）は注入管１２０の下部を示す図である。注入管１２０の前記した閉塞部２３に対応する深さでは、隙間２２に注入材を注入するための注入孔１２０１が外周面に設けられる。本実施形態では直径15mm程度の大きさの注入孔１２０１が深さ方向に3.0m程度の間隔で複数設けられ、多段に注入が行えるようになっている。
【００４２】
注入管１２０では、注入孔１２０１を覆うように筒状のカバー１２１が設けられる。カバー１２１には例えばゴムチューブが用いられる。本実施形態では複数のカバー１２１が各注入孔１２０１の位置にそれぞれ取付けられる。
【００４３】
カバー１２１は、土砂や後行エレメントのコンクリートなどの注入管内への流入防止、および隙間２２に注入した注入材の逆流防止などのために設けられる。一方で、注入管１２０の注入孔１２０１から出た注入材を隙間２２に注入できるように、カバー１２１にはスリット１２１１が設けられる。
【００４４】
注入管１２０は、鉄筋籠１００ａの地下タンク１０（地下構造物）側に当たる部分のみで設置している。地下タンク１０側とは、図１では左側に対応し、図２（ａ）および後述する図３〜図１１では上側に対応する。これと反対の、図１の右側、図２（ａ）および図３〜図１１の下側は地盤側というものとする。
【００４５】
（３．地中連続壁３０ａの構築）
本実施形態では、地中連続壁３０ａの構築時、前記と同様、図３（ａ）に示すように地盤を掘削して形成した掘削溝２０に鉄筋籠１００ａを挿入した後、図３（ｂ）に示すように当該掘削溝２０にコンクリート３１を打設して充填する。これにより、鉄筋籠１００ａをコンクリート３１に埋設した先行エレメント３０１ａが構築される。
【００４６】
その後、図３（ｃ）に示すように先行エレメント３０１ａの側方に掘削溝を形成して当該掘削溝に鉄筋籠２００を挿入し、鉄筋籠２００の周囲にコンクリート３１を打設して充填する。これにより、鉄筋籠２００をコンクリート３１に埋設した後行エレメント３０２ａが構築される。
【００４７】
この時、前記と同様、先行エレメント３０１ａと後行エレメント３０２ａの接続部近傍において、押え板１１３の外側の先行エレメント３０１ａの隅部に略三角形状の隙間２２が生じる。本実施形態では、注入管１２０を利用して隙間２２に注入材を注入し、これを埋めて前記した閉塞部２３とする。
【００４８】
本実施形態では、図２（ｃ）に示す内管１３０を注入管１２０に挿入して注入材の注入を行う。内管１３０の下端部には孔１３０１が設けられる。孔１３０１は直径15mm程度の大きさであり、孔１３０１の上下にはパッカー１３１（袋体）が設けられる。
【００４９】
図２（ｄ）に示すように、上下のパッカー１３１の間に注入孔１２０１が位置するように、内管１３０を注入管１２０内に挿入する。そして、空気を送り込むなどしてパッカー１３１を膨張させて注入管１２０の内壁に密着させ、この状態でモルタルやセメントミルク等の注入材を内管１３０から高圧で注入する。注入材は孔１３０１から送出され、注入管１２０の注入孔１２０１を通り、カバー１２１のスリット１２１１から外部に出て、先行エレメント３０１ａの隅部の隙間２２に注入される。
【００５０】
本実施形態では、この後パッカー１３１の圧を抜いて収縮させ、内管１３０を下に移動させて上記と同様の手順で下段の注入孔１２０１から注入材の注入を行う。この作業を繰り返し、前記した閉塞部２３の範囲全体に注入材の注入を行う。
【００５１】
こうして図３（ｄ）および図１に示すように、注入材により先行エレメント３０１ａの隅部の隙間２２が埋められて閉塞部２３が形成される。本実施形態では先行エレメント３０１ａの地下タンク１０側の隅部の隙間２２のみ埋められており、地盤側の隙間２２には注入材が注入されないが、これは、地盤側の隙間２２に水道が残っても地中連続壁３０ａの内部の掘削や躯体構築への影響はないためである。これにより作業を簡略化できるが、地盤側の隙間２２を同様の方法で埋めて閉塞部とすることも可能である。
【００５２】
以上説明したように、本実施形態では、地中連続壁３０ａの不透水層２１に対応する深さにおいて先行エレメント３０１ａの隅部の隙間２２を埋めて閉塞部２３とすることで、隙間２２を水道とした漏水が起こるのを防止することができ、地中連続壁３０ａの内部において、地下タンク１０の構築時の地盤掘削や躯体構築が容易にできるようになる。
【００５３】
また本実施形態では、予め鉄筋籠１００ａに設けた注入管１２０を利用して注入材を注入することで、先行エレメント３０１ａの隅部に生じた略三角形状の隙間２２を注入材によって埋めることができる。これにより、後からボーリングを行って隙間２２に注入管を挿入する空間を確保するなどの手間も掛からず、先行エレメント３０１ａの隅部の隙間２２を容易に埋めることができる。注入管１２０は鉄筋籠１００ａの隅部近傍に設けているので、その近くにある隙間２２を注入材によって確実に埋めることができる。
【００５４】
さらに、本実施形態では注入管１２０の注入孔１２０１の周囲にスリット付きのカバー１２１を設けておくことで、土砂等の注入管内部への流入、注入材の逆流などを防ぎつつ、注入材の注入を行うことができる。
【００５５】
また、内管１３０を注入管１２０内に挿入し、内管１３０の孔１３０１の上下のパッカー１３１を注入管１２０の内壁に密着させた状態で内管１３０から注入材を注入することで、注入材が上下に逃げることが無く、高圧で確実な注入を行うことができる。内管１３０は繰り返し使用でき、また注入管１２０の内部を洗浄しておけば、注入が不十分な場合に再注入も可能である。
【００５６】
しかしながら、本発明はこれに限らない。以下、本発明の別の例を第２〜第５の実施形態として説明する。各実施形態はそれまでに説明した実施形態と異なる点について主に説明し、同様の点については図等で同じ符号を付すなどして説明を省略する。
【００５７】
［第２の実施形態］
第２の実施形態は、先行エレメントの隅部を埋めるのに利用する閉塞用治具として、鉄筋籠に予め取付けたモルタルバッグ（袋体）を用いる点で第１の実施形態と異なる。
【００５８】
すなわち、本実施形態では、図４に示すように、鉄筋籠１００ｂの平面の隅部近傍において、略Ｌ字状断面を有するＬ形鋼１４０の当該Ｌ字の一端を鋼板１１１に取付け、Ｌ形鋼１４０と鋼板１１１とで略Ｕ字状に囲まれた空間にモルタルバッグ１５０を設ける。
【００５９】
Ｌ形鋼１４０およびモルタルバッグ１５０は、前記と同様、鉄筋籠１００ｂの地下タンク１０側に当たる部分のみで設置している。またモルタルバッグ１５０は鉄筋籠１００ｂにおいて閉塞部２３に対応する深さの範囲に設けられ、図示しない注入管（不図示）が挿入される。
【００６０】
本実施形態では、地中連続壁３０ａの先行エレメントの構築時、図５（ａ）に示すように地盤を掘削して形成した掘削溝２０に鉄筋籠１００ｂを挿入する。そして、注入管を介してモルタルバッグ１５０に早強モルタル等の充填材を充填し、図５（ｂ）に示すようにモルタルバッグ１５０を外側に膨らませて掘削溝２０の内壁に略当接させる。これにより、先行エレメントのコンクリート打設前に先行エレメントの隅部を先に埋めて閉塞部２３を形成しておく。
【００６１】
その後、１日程度おいて先行エレメントのコンクリートを前記と同様に打設して先行エレメントを構築する。以下前記と同様の手順で後行エレメントを構築すると、地中連続壁３０ａが形成される。
【００６２】
本実施形態では、モルタルバッグ１５０に充填材を充填することで、先行エレメントの隅部を容易に埋めることができ、第１の実施形態と同様の効果が得られる。また予め鉄筋籠１００ｂに取付けたモルタルバッグ１５０を用いることで、先行エレメントのコンクリート打設に先行して隅部を埋めることが可能である。モルタルバッグ１５０は鋼板１１１から後行エレメント側に若干出る形に膨らむ可能性もあるが、この部分は後行エレメントのコンクリート打設によって充填されるので特に問題は生じない。
【００６３】
なお、不透水層２１の範囲のみでモルタルバッグ１５０を膨らませて先行エレメントの隅部を埋めることも可能である。それ以外の土層範囲では、例えばモルタルバッグ１５０を小さな径に製作するか、あるいは注入管を通すスペースを残して封じておけばよい。これは後述する第３の実施形態でも同様である。
【００６４】
［第３の実施形態］
第３の実施形態は、第２の実施形態と同様、先行エレメントの隅部を埋めるのに利用する閉塞用治具としてモルタルバッグを用いる例であるが、本実施形態ではモルタルバッグを前記の押え板１１３に取付けて用いる。
【００６５】
すなわち、本実施形態では、図６に示すように、鉄筋籠１００ｃの平面の隅部近傍において、押え板１１３の外側にモルタルバッグ１６０が設けられる。前記と同様、モルタルバッグ１６０は鉄筋籠１００ｃの地下タンク１０側に当たる部分のみで設置している。またモルタルバッグ１６０は鉄筋籠１００ｃにおいて閉塞部２３に対応する深さの範囲に設けられ、図示しない注入管（不図示）が挿入される。
【００６６】
本実施形態では、地中連続壁３０ａの先行エレメントの構築時、図７（ａ）に示すように地盤を掘削して形成した掘削溝２０に鉄筋籠１００ｃを挿入する。そして、図７（ｂ）に示すように前記と同様にコンクリート３１を掘削溝２０に打設して充填し、先行エレメント３０１ａを構築する。その後、図７（ｃ）に示すように先行エレメント３０１ａの側方に掘削溝を形成して当該掘削溝に鉄筋籠２００を挿入し、鉄筋籠２００の周囲にコンクリート３１を打設して後行エレメント３０２ａを構築する。
【００６７】
この時、第１の実施形態と同様、先行エレメント３０１ａと後行エレメント３０２ａの接続部近傍において、押え板１１３の外側の先行エレメント３０１ａの隅部に略三角形状の隙間２２が生じる。本実施形態では、注入管を介してモルタルバッグ１６０にモルタル等の充填材を充填し、図７（ｄ）に示すようにモルタルバッグ１６０を外側に膨らませて掘削溝２０の内壁に略当接させる。これにより先行エレメント３０１ａの隅部の隙間２２を埋めて閉塞部２３とする。
【００６８】
本実施形態でも、モルタルバッグ１６０を用いることで、容易に先行エレメント３０１ａの隅部を埋めることができ、第１の実施形態と同様の効果が得られる。
【００６９】
また、本実施形態では充填材の高圧注入によってモルタルバッグ１６０を鋼板１１１と掘削溝２０の内壁に強く接触させることでかなりの摩擦力を期待でき、下方からの水圧によってモルタルバッグ１６０が不透水層２１の上方に抜け出たりすることも無い。これは第２の実施形態でも同様である。
【００７０】
また、本実施形態では、後行エレメント３０２ａのコンクリート打設後に、先行エレメント３０１ａの隅部に生じた略三角形状の隙間２２を埋めることができるが、先行エレメント３０１ａのコンクリート打設後、後行エレメント３０２ａのコンクリート打設前にモルタルバッグ１６０に充填を行い、先行エレメント３０１ａの隅部を埋めておくことも可能である。第２の実施形態のように先行エレメント３０１ａのコンクリート打設前に先行エレメント３０１ａの隅部を埋めておく場合も含め、いつ隅部を埋めるかは作業性や工期等を勘案して適宜定めることができる。
【００７１】
［第４の実施形態］
第４の実施形態は、先行エレメントの隅部を埋めるのに利用する閉塞用治具として、鉄筋籠に予め設けられた可動部を用いる点で第１の実施形態と異なる。
【００７２】
すなわち、本実施形態では、図８に示すように、鉄筋籠１００ｄの平面の隅部近傍において、可動部として、略Ｌ字状断面を有するＬ形金具１７０（スライド部材）の当該Ｌ字の一辺を鋼板１１１に取付け、鋼板１１１から内側に突出するＬ形金具１７０の端部に土木シート１１２を取付ける。Ｌ形金具１７０は、鉄筋籠１００ｄの地下タンク１０側に当たる部分のみで設置している。またＬ形金具１７０は鉄筋籠１００ｄにおいて閉塞部２３に対応する深さの範囲に設けられる。
【００７３】
Ｌ形金具１７０は、鉄筋籠１００ｄの幅方向にスライド可能に設けられる。スライド機構は特に限定されないが、例えばＬ形金具１７０の上下複数箇所に上記幅方向の長孔を設け、Ｌ形金具１７０側から頭付きのボルトを各長孔に通し、その端部をナット等で鋼板１１１に取付けておく。
【００７４】
本実施形態では、地中連続壁３０ａの先行エレメントの構築時、図９（ａ）に示すように地盤を掘削して形成した掘削溝２０に鉄筋籠１００ｄを挿入する。そして、図９（ｂ）に示すようにコンクリート３１を前記と同様に掘削溝２０に打設して充填し、先行エレメント３０１ａを構築する。
【００７５】
この時、コンクリート３１の打設圧によって土木シート１１２が外側に膨らむのに応じて、Ｌ形金具１７０が掘削溝２０の地下タンク１０側の内壁に向かって押し出され、例えば20〜30mm程度移動して当該内壁に略当接する。そのため、先行エレメント３０１ａの隅部はＬ形金具１７０の内側のコンクリート３１によって埋められて閉塞部２３となり、ほとんど隙間は生じない。以下前記と同様の手順で後行エレメントを構築すると、地中連続壁３０ａが形成される。
【００７６】
このように、本実施形態では、先行エレメント３０１ａのコンクリート打設時に土木シート１１２とともにＬ形金具１７０が移動して掘削溝２０の内壁に略当接することにより、Ｌ形金具１７０の内側の先行エレメント３０１ａの隅部をコンクリート３１によって埋めることができる。そのため、当該隅部に隙間が生じて水道となることはなく、第１の実施形態と同様の効果が得られる。
【００７７】
［第５の実施形態］
第５の実施形態は、第４の実施形態と同様、先行エレメントの隅部を埋めるのに利用する閉塞用治具として、鉄筋籠に予め設けられた可動部を用いる例であるが、本実施形態ではこの可動部として掘削溝２０の内壁に向かって回転するものを用いる。
【００７８】
すなわち、本実施形態では、図１０に示すように、鉄筋籠１００ｅの平面の隅部近傍において、可動部として、略Ｊ字状断面を有するＪ形金具１８０（回転部材）の当該Ｊ字の一端を蝶番１９０によって鋼板１１１に取付け、他端に土木シート１１２を取付ける。Ｊ形金具１８０は蝶番１９０を中心として平面において回転可能である。Ｊ形金具１８０は鉄筋籠１００ｅの地下タンク１０側に当たる部分のみで設置され、また鉄筋籠１００ｅにおいて閉塞部２３に対応する深さの範囲に設けられる。
【００７９】
本実施形態では、地中連続壁３０ａの先行エレメントの構築時、図１１（ａ）に示すように地盤を掘削して形成した掘削溝２０に鉄筋籠１００ｅを挿入する。そして、図１１（ｂ）に示すようにコンクリート３１を前記と同様に掘削溝２０に打設して充填し、先行エレメント３０１ａを構築する。
【００８０】
この時、コンクリート３１の打設圧によって土木シート１１２が外側に膨らむのに応じて、Ｊ形金具１８０が蝶番１９０を中心として掘削溝２０の地下タンク１０側の内壁に向かって回転し、当該内壁に略当接する。そのため、先行エレメント３０１ａの隅部はＪ形金具１８０の内側のコンクリート３１によって埋められて閉塞部２３となり、ほとんど隙間は生じない。以下前記と同様の手順で後行エレメントを構築すると、地中連続壁３０ａが形成される。
【００８１】
このように、本実施形態でも、先行エレメント３０１ａのコンクリート打設時に土木シート１１２とともにＪ形金具１８０が移動して掘削溝２０の内壁に略当接することにより、Ｊ形金具１８０の内側の先行エレメント３０１ａの隅部をコンクリート３１によって埋めることができ、第１の実施形態と同様の効果が得られる。可動部として本実施形態のような回転部材を用いるか前記のようなスライド部材を用いるかは作業性その他に応じて適宜定めることができる。
【００８２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８３】
１０；地下タンク
１１；底版
１２；側壁
１３；鋼製屋根
２０；掘削溝
２１；不透水層
２２；隙間
２３；閉塞部
３０、３０ａ；地中連続壁
３１；コンクリート
１００、１００ａ、１００ｂ、１００ｃ、１００ｄ、１００ｅ、２００；鉄筋籠
１０１、１０２；鉄筋
１０３；タイロッド
１１１；鋼板
１１２；土木シート
１１３；押え板
１２０；注入管
１２１；カバー
１３０；内管
１３１；パッカー
１４０；Ｌ形鋼
１５０、１６０；モルタルバッグ
１７０；Ｌ形金具
１８０；Ｊ形金具
１９０；蝶番
３０１、３０１ａ；先行エレメント
３０２、３０２ａ；後行エレメント
１２０１；注入孔
１２１１；スリット
１３０１；孔
【図１】
0006650348.tif 000002
【図２】
0006650348.tif 000003
【図３】
0006650348.tif 000004
【図４】
0006650348.tif 000005
【図５】
0006650348.tif 000006
【図６】
0006650348.tif 000007
【図７】
0006650348.tif 000008
【図８】
0006650348.tif 000009
【図９】
0006650348.tif 000010
【図１０】
0006650348.tif 000011
【図１１】
0006650348.tif 000012
【図１２】
0006650348.tif 000013
【図１３】
0006650348.tif 000014
【図１４】
0006650348.tif 000015